(57)【要約】【課題】  油濾過フィルタの活性炭が使用によって偏寄することなく、また従来保持の難しかった微粒子状の活性炭であっても、これを確実に保持することができるようにし、以て濾過性能に優れる油濾過フィルタ並びにこれを具えた油濾過器を提供する。【解決手段】  油濾過フィルタ３は、植物系短長繊維と、バインダ樹脂繊維と、活性炭とを抄造の原料液中に含み、これを抄いてモールド成形され、油の濾過に用いられることを特徴とする。また油濾過フィルタを具えた油濾過器１は、底部に設置口２１ａが開口されてここに前記油濾過フィルタ３が設置される濾過容器２と、この濾過容器２により濾過された油を受ける油受け容器４とを具えて成ることを特徴とする。【選択図】図１
2005238094.tif 000002
【特許請求の範囲】
【請求項１】
植物系短長繊維と、バインダ樹脂繊維と、活性炭とを抄造の原料液中に含み、これを抄いてモールド成形され、油の濾過に用いられることを特徴とする油濾過フィルタ。
【請求項２】
前記バインダ樹脂繊維は、ポリエチレンテレフタレート繊維であることを特徴とする請求項１記載の油濾過フィルタ。
【請求項３】
前記油濾過フィルタは、円錐台形もしくは角錐台形に形成され、周側面が設置口に対して先窄まりのテーパ状に形成されていることを特徴とする請求項１または２記載の油濾過フィルタ。
【請求項４】
前記油濾過フィルタの、濾過する油を受け入れる前面と、濾過した油を排出する背面の何れか一方または双方は、凹凸に形成されていることを特徴とする請求項１、２または３記載の油濾過フィルタ。
【請求項５】
前記油濾過フィルタに混入されている活性炭の粒径は、１５０μｍ以下であることを特徴とする請求項１、２、３または４記載の油濾過フィルタ。
【請求項６】
底部に設置口が開口されてここに前記請求項１、２、３、４及び５記載の油濾過フィルタが設置される濾過容器と、この濾過容器により濾過された油を受ける油受け容器とを具えて成ることを特徴とする油濾過フィルタを具えた油濾過器。
【請求項７】
前記濾過容器には、油濾過フィルタを通過させる前の油を濾すための濾し網が設けられていることを特徴とする請求項６記載の油濾過フィルタを具えた油濾過器。
【発明の詳細な説明】
【技術分野】
【０００１】
本発明は例えばフライヤー用の食用油などを浄化することができる油濾過フィルタ並びにこれを具えた油濾過器に関するものであって、特に油濾過フィルタの浄化性能の改良に係るものである。
【背景技術】
【０００２】
従来から吸着濾過材として活性炭等が用いられているが、例えばパルプ成形品等の適宜の容器中に活性炭等をそれぞれが固定されていないバルク状で投入し収容しており、濾過作業中に活性炭同士の凝集が生じ、その性能が著しく低下するという問題がある。これは活性炭等の吸着濾過材の性能は、その有効表面積、つまり被濾過液との実質接触面積に比例するためであり、各粒子が固定されないバルク状で容器中に収容されている活性炭等の吸着濾過材は、濾過性能を維持するためには、大型のものでは攪拌作業を行い、小型のものでは凝集をなるべく生じさせないようにするために粒径の比較的大きな活性炭を用い、且つ補助材（活性炭同士を分離させるための第三者粒子状物質）の混合等が必要であった。
【０００３】
なお従来の油濾過器としては、バルク状の濾過材たる活性炭を、その粒度よりも目が細かく且つ細かい第２の濾過材で挟み込んだものがあるが（特許文献１参照）、上述したような活性炭をバルク状に収容していることに伴う問題点がある。
【特許文献１】特公昭６３−１２６４６号公報
【発明の開示】
【発明が解決しようとする課題】
【０００４】
本発明はこのような背景からなされたものであって、油濾過フィルタの活性炭が使用によって偏寄することなく、また従来保持の難しかった微粒子状の活性炭であっても、これを確実に保持することができるようにし、以て濾過性能に優れる油濾過フィルタ並びにこれを具えた油濾過器を実現しようとするものである。
【課題を解決するための手段】
【０００５】
すなわち請求項１記載の油濾過フィルタは、植物系短長繊維と、バインダ樹脂繊維と、活性炭とを抄造の原料液中に含み、これを抄いてモールド成形され、油の濾過に用いられることを特徴として成るものである。
【０００６】
更に請求項２記載の油濾過フィルタは、前記請求項１記載の要件に加え、前記バインダ樹脂繊維は、ポリエチレンテレフタレート繊維であることを特徴として成るものである。  
【０００７】
また請求項３記載の油濾過フィルタは、前記請求項１または２記載の要件に加え、前記油濾過フィルタは、円錐台形もしくは角錐台形に形成され、周側面が設置口に対して先窄まりのテーパ状に形成されていることを特徴として成るものである。
【０００８】
更にまた請求項４記載の油濾過フィルタは、前記請求項１、２または３記載の要件に加え、前記油濾過フィルタの、濾過する油を受け入れる前面と、濾過した油を排出する背面の何れか一方または双方は、凹凸に形成されていることを特徴として成るものである。
【０００９】
更にまた請求項５記載の油濾過フィルタは、前記請求項１、２、３または４記載の要件に加え、前記油濾過フィルタに混入されている活性炭の粒径は、１５０μｍ以下であることを特徴として成るものである。
【００１０】
更にまた請求項６記載の油濾過フィルタを具えた油濾過器は、底部に設置口が開口されてここに前記請求項１、２、３、４及び５記載の油濾過フィルタが設置される濾過容器と、この濾過容器により濾過された油を受ける油受け容器とを具えて成ることを特徴として成るものである。
【００１１】
更にまた請求項７記載の油濾過フィルタを具えた油濾過器は、前記請求項６記載の要件に加え、前記濾過容器には、油濾過フィルタを通過させる前の油を濾すための濾し網が設けられていることを特徴として成るものである。
【発明の効果】
【００１２】
本発明の製紙用ドライヤ装置は、上述した手段により以下のような効果を奏するものである。
すなわち請求項１記載の油濾過フィルタによれば、バインダ樹脂繊維の接着力によりバインダ樹脂繊維、植物系短長繊維及び活性炭が、強固に固着した状態となり、油濾過フィルタの破壊強度及び引き裂き強度を増しているとともに、活性炭が使用によって偏寄したり、活性炭同士を分離するための補助材を混在させる必要がない。また優れた吸着性を持つ微粒活性炭を用いることが可能となり、優れた脱色、脱臭効果を有する。
【００１３】
更に請求項２記載の油濾過フィルタによれば、バインダ樹脂繊維は、ポリエチレンテレフタレート繊維であるため、油濾過フィルタの破壊強度及び引き裂き強度性が増す。
【００１４】
また請求項３記載の油濾過フィルタによれば、油濾過フィルタの周側面が設置口に対して先窄まりのテーパ状に形成されているため、単に押し込むまたは引き抜くだけで着脱でき、力も瞬間的に必要なだけなため、着脱が容易に行えるとともに、設置口とフィルタ周側面との間に隙間が生じにくい。
【００１５】
更にまた請求項４記載の油濾過フィルタによれば、油濾過フィルタの、濾過する油を受け入れる前面と、濾過した油を排出する背面の何れか一方または双方は、凹凸に形成されているため、油濾過フィルタの表面積が拡大し、濾過性能も向上する。
【００１６】
更にまた請求項５記載の油濾過フィルタによれば、活性炭が微粒活性炭であるため、被濾過液との実質接触面積が多く、浄化作用に優れる。
【００１７】
更にまた請求項６記載の油濾過フィルタを具えた油濾過器によれば、油濾過フィルタのバインダ樹脂繊維の接着力によりバインダ樹脂繊維、植物系短長繊維及び活性炭が、強固に固着した状態となり、油濾過フィルタの破壊強度及び引き裂き強度を増しているとともに、活性炭が使用によって偏寄したり、活性炭同士を分離するための補助材を混在させる必要がない。また優れた吸着性を持つ微粒活性炭を用いることが可能となり、優れた脱色、脱臭効果を有する。
またバインダ樹脂繊維に、ポリエチレンテレフタレート繊維を用いた場合には、油濾過フィルタの破壊強度及び引き裂き強度性が増す。
更に油濾過フィルタの周側面が設置口に対して先窄まりのテーパ状に形成した場合、濾過容器の設置口に対し単に押し込むまたは引き抜くだけで着脱でき、力も瞬間的に必要なだけなため、着脱が容易に行えるとともに、設置口とフィルタ周側面との間に隙間が生じにくい。
更にまた油濾過フィルタの、濾過する油を受け入れる前面と、濾過した油を排出する背面の何れか一方または双方を、凹凸に形成した場合、油濾過フィルタの表面積が拡大し、濾過性能も向上する。
更にまた活性炭に微粒活性炭を用いた場合、被濾過液との実質接触面積が多く、浄化作用に優れる。
【００１８】
更にまた請求項７記載の油濾過フィルタを具えた油濾過器によれば、比較的大きな粒の不純物が濾し網により除去され、これを簡単に廃棄することが可能であるとともに、油濾過フィルタに目詰まりを起こさせることを防止する。
【発明を実施するための最良の形態】
【００１９】
本発明の最良の形態は、具体的には以下の実施例に述べる通りである。
【実施例】
【００２０】
以下本発明を図示の実施の形態に基づき説明する。なお以下の説明にあたっては、本発明の油濾過フィルタを具えた油濾過器の説明を行うことによって併せて本発明の油濾過フィルタについて説明する。
図中符号１で示すものが食用油の濾過器として適用した本発明に係る油濾過器であり、このものは底部に設置口２１ａが開口されてここに油濾過フィルタ３が設置される濾過容器２と、この濾過容器２により濾過された油を受ける油受け容器４とを具えて成る。
【００２１】
前記濾過容器２について説明する。濾過容器２は底部に油濾過フィルタ３が設置される容器本体２０と、この容器本体２０の上面開口を閉鎖する上蓋２４と、容器本体２０内に載置される濾し網２５とを具えて成る。
前記容器本体２０は、一例としてほぼ円筒形をしており、図１、３等に示されるように底部の中心にフィルタを設置するための凹部であるフィルタ設置部２１を有し、この底面は設置口２１ａが開口されている。また周側面下部には、前記油受け容器４上に載置するための係止段２２が形成されるとともに、外側面には把手２３が設けられている。濾し網２５は、容器本体２０よりも僅かに小径な円筒容器状に形成され、前記容器本体２０の中に濾し網２５を挿入し濾し網２５の上縁を容器本体２０の上縁に係止して用いるものであり、油濾過フィルタ３により濾過される前の油を濾して比較的大きな粒形の異物を取り除くためのものである。また上蓋２４は円形状であり、これにも把手２４ａが取り付けられている。
【００２２】
次に油受け容器４について説明する。油受け容器４はほぼ円筒形の容器であり、前記濾過容器２を上縁に載置して濾過容器２により濾過された油を受け取るものである。外側面には把手４ａが設けられ、上縁には注ぎ口４ｂが設けられている。
【００２３】
次に油濾過フィルタ３について説明する。油濾過フィルタ３は、植物系短長繊維と、バインダ樹脂繊維であるポリエチレンテレフタレート繊維（以下ＰＥＴ繊維と呼称する）と、活性炭とを抄造の原料液中に含み、これを抄いてモールド成形したものである。具体的な成分比の一例として原料液１００ｇ中に植物系短長繊維を３０〜６０ｇ含み、ＰＥＴ繊維を１０〜２０ｇ含み、活性炭を２５〜６０ｇ含む。
なお前記植物系短長繊維とは、木材、竹、麻、バガス、綿を始め、セルロースを含む原料から造られたパルプ全体を言う。また本実施例の特徴として前記油濾過フィルタ３は円錐台形に成形されるものであり、周側面が設置口２１ａに対して先窄まりのテーパ状に形成されている。また濾過した油を排出する背面（本実施例においては底面）には、図２に示されるように凹凸３ａが形成され、表面積を拡大して濾過性能の向上が図られている。なおＰＥＴ樹脂繊維によって油濾過フィルタ３が強固に一体化されるため、活性炭は粒子の細かいものが用いることが可能であり、一例として粒径が約７０μｍのものが用いられており、従って活性炭の表面積が増大するため濾過性能に優れる。なお活性炭の粒径は１５０μｍ以下の微粒子のものが濾過性能の点から好ましい。また一例として油濾過フィルタ３は厚さが１０〜３０ｍｍの横目積層方式でモールド成形される為、パルプ繊維特有のポーラス状態が横目状となる。このため濾過される油は充分な時間をかけて油濾過フィルタ３を通過するとともに、また植物系短長繊維及びＰＥＴ樹脂繊維が横目積層されることによって、成形時に活性炭がより均一に付着しやすくなることも相まって濾過性能が向上する。
【００２４】
なお上記油濾過フィルタ３の形状としては、円錐台形で形成する他、角錐台形で実施するようにしても構わない。また油濾過フィルタ３は、上述したような食用油の浄油フィルタ３として用いる他に、機械油の浄油フィルタとして用いてもよい。なお油濾過フィルタ３に対するフィルタ設置部２１は、図３（ｂ）に示されるように油濾過フィルタ３に合わせてテーパ形状に形成されているが、図３（ｃ）に示されるように直角に折り曲げたテーパさせない形状でも実施可能である。
【００２５】
本発明の油濾過フィルタを具えた油濾過器１は、以上のような具体的な形態を有するものであって、以下この使用方法について説明する。
まず油濾過フィルタ３を、図４（ａ）に示されるように濾過容器２のフィルタ設置部２１の設置口２１ａに周側面が密着するまで押し込む。もちろん前回の使用で取り付けられた状態のままであれば、この作業は必要としない。なお油濾過フィルタ３は、一例として油約２リットルの使用を目安に交換を行う。なお使用後の油濾過フィルタ３は普通紙等と同様にいわゆる「燃やせるゴミ」として廃棄でき後処理に手間がかからず、環境にもよい。
【００２６】
そして油濾過フィルタ３が設置された容器本体２０を、図４（ｂ）に示されるように油受け容器４上に載置するとともに、図４（ｃ）に示されるように濾し網２５を容器本体２０上縁に係止する。
そして使用した油を１００℃以下に冷ましてから、図４（ｄ）に示されるように濾過容器２に静かにゆっくり注ぎ込む。その後水平な場所に載置して図４（ｅ）に示されるように上蓋２４をし、放置する。
【００２７】
濾過容器２に注ぎ込まれた油は、まず大きな異物が濾し網２５により除去され、次いで油濾過フィルタ３により濾過されて下方の油受け容器４に少しずつ垂れ落ちる。活性炭が微粒子のものが用いられているため、浄油作用に優れ、脱臭もなされる。また油濾過フィルタ３は、ＰＥＴ樹脂繊維が配合され形成されているため、破壊強度に優れ、繰り返しの使用にも耐え得るものであり、活性炭をバルク状に支持するものではないため、使用中に活性炭が偏寄してしまって浄油が不完全に行われているということもない。なお油が注入された際に、油濾過フィルタ３は膨張し、繊維間の隙間を減少させるため、浄油性が高まる。
【図面の簡単な説明】
【００２８】
【図１】本発明の油濾過器を分解して示す斜視図である。
【図２】本発明の油濾過フィルタを示す斜視図である。
【図３】油濾過器のフィルタ設置部周辺を拡大し、破断して示す斜視図及び骨格的縦断側面図並びにフィルタ設置部の形状を異ならせた他の実施例を示す骨格的縦断側面図である。
【図４】本発明の油濾過器の使用方法を段階的に示す説明図である。
【符号の説明】
【００２９】
１        油濾過器
２        濾過容器
２０      容器本体
２１      フィルタ設置部
２１ａ    設置口
２２      係止段
２３      把手
２４      上蓋
２４ａ    把手
２５      濾し網
３        油濾過フィルタ
３ａ      凹凸
４        油受け容器
４ａ      把手
４ｂ      注ぎ口
【図１】
2005238094.tif 000003
【図２】
2005238094.tif 000004
【図３】
2005238094.tif 000005
【図４】
2005238094.tif 000006